(57)【要約】      （修正有）【課題】ショップカード持ち帰り頻度の向上、再来店動機、ＣＲＭ向上に繋がるようショップカードを配布する。【解決手段】店舗が、カーボンオフセットおよびＱＲコード（登録商標）付きのショップカードを配布する。店舗側がオフセットに係る費用を負担するにも関わらず、来店してカードを持ち帰るお客様自身が、あたかもオフセットに係る費用を負担→環境事業などの活動に投資・貢献したかのような気持ちにさせることを特徴とするコミュニケーション型のショップカード提供方法であり、且つ、ショップカードに記載されたＱＲコード（登録商標）には、配布する店舗に係る情報管理を目的としたＩＤが付帯されたＵＲＩ情報を収納して、インターネット経由により、該当店舗を介してオフセットされた二酸化炭素（カーボン）の総量情報や、店舗に係る広告・宣伝などを目的とする情報へアクセスすることを可能とする。【選択図】図１
2011146012.tif 000002
【特許請求の範囲】
【請求項１】
店舗が、カーボンオフセットおよびＱＲコード付きのショップカードを配布。ショップカードを配布する店舗側がオフセットに係る費用を負担するにも関わらず、来店してカードを持ち帰るお客様自身（自己）が、あたかもオフセットに係る費用を負担→環境事業などの活動に投資・貢献したかのような気持ちにさせることを特徴とするコミュニケーション型カーボンオフセット付きショップカード提供システム。
【請求項２】
ショップカードに記載されたＱＲコードには、配布する店舗に係る情報管理を目的としたＩＤ（認識番号）が付帯されたＵＲＩ情報を収納。そのＵＲＩ情報をもとにしたインターネット経由により、該当店舗を介してオフセットされた二酸化炭素（カーボン）の総量情報や、店舗に係る広告・宣伝などを目的とする情報へアクセスすることを可能とした請求項１に記載のコミュニケーション型カーボンオフセット付きショップカード提供システム。
【発明の詳細な説明】
【技術分野】
【０００１】  本発明は、カーボンオフセット付きのショップカードを配布する店舗側がオフセットに係る費用を負担するにも関わらず、来店してカードを持ち帰るお客様自身（自己）が、あたかもオフセットに係る費用を負担→環境事業などの活動に投資・貢献したかのような気持ちにさせることを特徴とするコミュニケーション型のショップカード提供方法であり、且つ、ショップカードに記載されたＱＲコードには、配布する店舗に係る情報管理を目的としたＩＤ（認識番号）が付帯されたＵＲＩ情報を収納して、インターネット経由により、該当店舗を介してオフセットされた二酸化炭素（カーボン）の総量情報や、店舗に係る広告・宣伝などを目的とする情報へアクセスすることを可能としたシステムに関する。
【背景技術】
【０００２】  カーボンオフセットは、環境事業などの活動に投資・貢献することで、排出した二酸化炭素（カーボン）をオフセット→相殺するという、温室効果ガス削減に係るひとつの考え方・取り組みである。
【発明の開示】
【発明が解決しようとする課題】
【０００３】  従来もしくは本来、カーボンオフセットとは、排出した二酸化炭素（カーボン）を“自身（自己）”の出費によりオフセット→相殺するという、一人称型（自己完結型）の側面・性質が高い取り組みであり、またその参加機会の選択肢は多いものではない。【０００４】  飲食店をはじめとした多くの店舗では、“来店記念＆店舗案内”という位置づけにおいて、ショップカードを配布。会計・レジなどの傍に場所・スペースを設けるが→店舗が思うような配布・提供が出来ておらず、（再来店動機に繋がるよう）お客様に、いかに持ち帰っていただくかに苦心・工夫している。
【課題を解決するための手段】
【０００５】  本発明者は上記課題に鑑み、カーボンオフセットとショップカード。この関連性が一見乏しいと思われる２つを組み合わせることで、それぞれが持ち合わせている課題（一例：ショップカードを持ち帰っていただく為の苦心・工夫）の解決、そして更なるシナジー効果（一例：持ち帰ったショップカードに因る第三者へのカーボンオフセットもしくは該当店舗に係る広報）の創造につながるコミュニケーション型カーボンオフセット付きショップカード提供システムを構築した。【０００６】  請求項１の発明は、店舗が、カーボンオフセットおよびＱＲコード付きのショップカードを配布。ショップカードを配布する店舗側がオフセットに係る費用を負担するにも関わらず、来店してカードを持ち帰るお客様自身（自己）が、あたかもオフセットに係る費用を負担→環境事業などの活動に投資・貢献したかのような気持ちにさせることを特徴とするコミュニケーション型カーボンオフセット付きショップカード提供システムである。【０００７】  請求項１の発明によって、ショップカードを持ち帰っていただく為の苦心・工夫をしている店舗にとっては、持ち帰り頻度の向上、更には再来店動機（持ち帰り頻度の向上に係るシナジー効果などの期待「含」）もしくはＣＲＭ（顧客満足度の向上機会）の創出に係る手段を有することとなる。【０００８】  また来店してカードを持ち帰るお客様は、カーボンオフセットの実施・参加機会を有することになる。【０００９】  請求項２の発明は、ショップカードに記載されたＱＲコードには、配布する店舗に係る情報管理を目的としたＩＤ（認識番号）が付帯されたＵＲＩ情報を収納。そのＵＲＩ情報をもとにしたインターネット経由により、該当店舗を介してオフセットされた二酸化炭素（カーボン）の総量情報や、店舗に係る広告・宣伝などを目的とする情報へアクセスすることを可能としたシステムである。【００１０】  請求項２の発明は、請求項１に関する再来店動機もしくはＣＲＭ（顧客満足度の向上機会）の創出に係る手段を、インタネットを介した情報発信という手法を用いて更なる強化を図るものであると同時に、環境事業などの活動に投資・貢献することの意義・認識を確認してもらうための手段であり、総じて店舗とお客様との間をショップカードが取り持つコミュニケーションツールと成す。
【発明の効果】
【００１１】  ショップカードを持ち帰っていただく為の苦心・工夫をしている店舗にとって、持ち帰り頻度の向上につなげることが出来る。【００１２】  また、再来店動機もしくはＣＲＭ（顧客満足度の向上機会）の創出に係る手段を、ショップカードの持ち帰りおよびカードに記載されたＱＲコード→インターネットを介した情報発信という手法により、店舗にもたらすことが出来る。【００１３】  来店してカードを持ち帰るお客様は、カーボンオフセットの実施・参加機会を、（来店時におけるショップカード「持ち帰り」といった）日常的に起こり易いことを介して得ることが出来る。
【発明を実施するための最良の形態】
【００１４】  本発明の実施態様に係る構成の一例を図１として示し、ショップカード提供システム１０と、お客様端末３１との間でインターネットを介してデータの送受信を可能とする。【００１５】  お客様端末３１のバーコード読み込み機能などを用いて、ＱＲコード２１ａより店舗ＩＤ（認識番号）が付帯されたＵＲＩ情報を取得。インターネット経由により、該当店舗を介してオフセットされた二酸化炭素（カーボン）の総量情報や、店舗に係る広告・宣伝などを目的とする情報へアクセス。環境事業などの活動に投資・貢献することの意義・認識を確認してもらうための手段としても成立させる。【００１６】  ショップカード２１には、『お客様に代わり．．．』、『寄附・貢献のために．．．』、『是非ともお持ち帰りいただければ．．．』といったような、持ち帰る動機＆好機を演出・誘導するキャッチコピーなどを明記。関連性が一見乏しいと思われるカーボンオフセットとショップカードの２つを組み合わせることによるシナジー効果が、十分に発揮されるような内容・デザインとする。【００１７】  また、紙媒体であるがゆえの限られたスペースおよびフレキシブル性に劣る理由などにより、表現しきれなかった時節の挨拶（一例：『寒くなりましたので．．．』）などといったインターネットを介した情報発信ならではのリアルタイム性に富む内容を載せることで、コミュニケーションツールとした位置づけとしても確立させる。【００１８】
【図面の簡単な説明】
【００１９】
【図１】本発明の構成の一例を示す図である。
【符号の説明】
【００２０】１０    ショップカード提供システム
２０    店舗
２１    カーボンオフセットおよびＱＲコード付きのショップカード
２１ａ  配布する店舗に係る情報管理を目的としたＩＤ（認識番号）が付帯されたＵＲＩ情報を収納したＱＲコード
※このＱＲコードを介してインターネット経由にてサイト遷移可能
３０    お客様
※お客様３０から出ている上向きの矢印（３つ）は、持ち帰ったショップカードに因る第三者への広報を表す
３１    お客様端末（移動想定端末）
９０    カーボンオフセットプロバイダ
【図１】
2011146012.tif 000003